(57)【要約】【課題】  歯科インプラント治療において義歯を磁石による吸着力により強固に装着するための歯科インプラント用磁性アタッチメントを、特にネジ強度及び緩みに対する配慮のみならず、その他操作性、歯肉への安全性等に対しても充分な配慮がなされているものとする。【解決手段】  無歯顎の顎骨内に埋入されるフィクスチャー１の口腔内側に歯肉貫通部２が一体状に設けられている純チタン又はチタン合金製の埋入体Ｙと、該埋入体Ｙの該歯肉貫通部２の内面に螺設されているネジ径が３ｍｍ以上の歯肉貫通部メネジ部2aに螺合されるキーパ固定用オネジ部Yaを有する耐食性軟磁性材料製のキーパＹとで歯科インプラント用磁性アタッチメントを構成する。埋入体Ｙは、フィクスチャー１と歯肉貫通部２であるアバットメントが完全に一体の場合と、フィクスチャー１と歯肉貫通部２であるアバットメントとアバットメントスクリューとで構成されている場合とがある。【選択図】        図１
2006271767.tif 000002
【特許請求の範囲】
【請求項１】
無歯顎の顎骨内に埋入されるフィクスチャー(１)の口腔内側に歯肉貫通部(２)が一体状に設けられている純チタン又はチタン合金製の埋入体(Ｘ)と、該埋入体(Ｘ)の該歯肉貫通部(２)の内面に螺設されているネジ径が３ｍｍ以上の歯肉貫通部メネジ部(2a)に螺合されるキーパ固定用オネジ部(Ya)を有する耐食性軟磁性材料製のキーパ(Ｙ)とから成ることを特徴とする歯科インプラント用磁性アタッチメント。
【請求項２】
埋入体(Ｘ)が、中心軸にフィクスチャー部メネジ部(1a)を有し口腔内側に位置する端部に凹状又は凸状の回転止め機構(1b)を有すフィクスチャー(１)と、一端が該フィクスチャー(１)の該回転止め機構(1b)に嵌合する凸状又は凹状の回転止め係合機構(2b)を有する中空筒状の歯肉貫通部(２)であるアバットメントと、該アバットメント(２)の中空部を貴通し前記フィクスチャー(１)のフィクスチャー部メネジ部(1a)にアバットメントスクリュー固定用オネジ部(3a)が螺合して該アバットメント(２)を固定するためのアバットメントスクリュー(３)で構成されている請求項１に記載の歯科インプラント用磁性アタッチメント。
【請求項３】
キーパ(Ｙ)の口腔内側面が平面又は球面である請求項１及び２に記載の歯科インプラント用磁性アタッチメント。
【請求項４】
キーパ(Ｙ)の口腔内側面又は口腔内側の側面にドライバー又はレンチとの係合部(Yb)が設けられている請求項１から３までのいずれか１項に記載の歯科インプラント用磁性アタッチメント。
【請求項５】
キーパ(Ｙ)の口腔内側の側面の全部又は一部に口腔内側方向に小さくなるテーパが設けられている請求項１から４に記載の歯科インプラント用磁性アタッチメント。
【発明の詳細な説明】
【技術分野】
【０００１】
本発明は、歯科補綴治療の一分野である歯科インプラント治療において、義歯を磁石による吸着力により強固に装着するための歯科インプラント用磁性アタッチメントに関するものである。
【背景技術】
【０００２】
近年、歯科補綴治療の一つとしてインプラント治療が一般化し、単独歯に対してはクラウンとして、複数歯に対してはブリッジ又はオーバーデンチャーとして用いられ、失った歯の代替として長期間の機能を果たしている。このような中で、これまでのオーバーデンチャーのインプラント治療ヘの応用は、バーアタッチメント、ボールアタッチメント等の機械式のアタッチメントが用いられ、それぞれ維持装置としての実績がある。
【０００３】
一方、近年、残存歯に形成した支台歯にキーパを固定し、義歯の顎堤側に磁石構造体を埋め込んで、磁石構造体とキーパとの間に作用する磁石吸引力を応用する磁性アタッチメントが本格的に臨床応用されるようになってきている。その特徴として、横滑り現象を伴うために支台歯に対する負担が少ない、着脱力の方向が厳密でなく義歯の設計・製作が容易である、クラスプ等の機械的維持装置のような摩耗・破損する部分がなく維持力の減衰がない、クラスプのように露出することがなく審美性に優れている、患者が容易に着脱でき更にクラスプのような突起がなく単純形態であるため義歯の手入れが容易である等の多くの長所を有すことから広く天然歯用に用いられるようになった。
【０００４】
その結果、磁性アタッチメントのインプラント治療ヘの応用も研究されてきた。インプラント治療の場合は、過大な荷重が加わるとインプラント周囲の骨が吸収を起こしてインプラント治療が失敗に陥り易いという問題があり、特に横荷重が加わると不利とされている。しかしながら磁性アタッチメントは、横滑り現象により横荷重の伝達を減少させる作用を有することから骨吸収を起こし難い維持装置として期待が寄せられており、更に前述の特徴である、着脱力の方向が厳密でなく義歯の設計・製作が容易である、機械的維持装置のような摩耗・破損する部分がなく維持力の減衰がない、患者が容易に着脱でき単純形態であるため義歯の手入れが容易である等の長所も兼ね備えており、インプラント治療に応用する有用性は高い。
【０００５】
歯科インプラント用磁性アタッチメントにおいては、インプラント側にキーパが、義歯の顎堤側に磁石構造体がそれぞれ固定されるが、その基本的な固定構造としては、フィクスチャーに対しアバットメント→アバットメントスクリュー→キーパ→キーパ固定用ネジの４点で構成されるもの（例えば、特許文献１及び２参照。）、アバットメント→リング部材→ネジ付きキーパの３点で構成されるもの（例えば、特許文献３参照。）、アバットメント→ネジ付きキーパの２点で構成されるもの（例えば、特許文献４参照。）、及びアバットメントがフィクスチャーと一体となりネジ付きキーパのみの１点で構成されるもの（例えば、特許文献５参照。）が開示されている。
【０００６】
しかしながら上記の４種類の歯科インプラント用磁性アタッチメントの共通の構造として、キーパを固定するネジ部品又はキーパの一部となるネジ部は全て磁性材料が使用されるが、この材料は比較的低強度材料である。そして、キーパのネジ部はフィクスチャー又はアバットメントスクリューに螺設されれているメネジに螺合するものであるので、寸法的制限により多くは直径が２ｍｍ又はｌ.４ｍｍの細いネジの設計になっており、材料も考慮すると十分な強度を与えるには厳しい。
【０００７】
更に、このネジ部には締付けトルクと共に咬合により様々な方向からの荷重を受けることになる。磁性アタッチメントは横滑り特性によって義歯からの横荷重をインプラント側に伝え難い作用があるものの、特に臼歯部のような遊離端に配置される磁性アタッチメントは義歯の傾斜によリキーパの端面が横荷重を受け易い。また、磁性アタッチメントを応用するインプラント治療の場合は、フィクスチャー同士を連結させることができないのでブリッジのように荷重の負担を分散して軽減させる手段を取れず、フィクスチャーがそれぞれ単独で荷重を受けることになるために大きな荷重を受ける可能性が高くブリッジより過酷な状態に曝されることになる。このような荷重はキーパにも作用し、繰り返し種々の荷重を受けることとなってネジに加わる応力の面では厳しい状況となる。
【０００８】
一方、これまでのインプラント治療では、アバットメントスクリュー等のフィクスチャーに螺合させるネジには純チタンが使用されているが、直径が２ｍｍのアバットメントスクリューのトルク強度は約５０Ｎ・ｃｍであり推奨締結トルクは２０Ｎ・ｃｍとされているが、ネジ部の破折が報告されている。しかるに、キーパに用いられる軟磁性のステンレス鋼と純チタンの強度は、純チタン２種が３４３〜５１０Ｎ／ｍｍ2で軟磁性のステンレス鋼ＳＵＳＸＭ２７が４１２Ｎ／ｍｍ2であり、強度的には同等である。よって、特許文献５のようにキーパに一体に設けられたオネジがフィクスチャーのメネジに螺合される構造の場合は破折の危険性が考えられる。このような理由により、磁性アタッチメントをインプラントに応用する場合において、キーパがフィクスチャーに直接ネジ固定される場合には、キーパのネジ部強度への配慮は重要である。
【０００９】
一方、アバットメントスクリューの材質を純チタンより高強度であるチタン合金（Ｔｉ−６Ａｌ−４Ｖ）を用いた場合、直径が２ｍｍのアバットメントスクリューのトルク強度は約１００Ｎ・ｃｍとなり、推奨締結トルクを２０Ｎ・ｃｍとした場合に破折の報告は大きく減少している。
【００１０】
また、アバットメントスクリューの頭部に設けられた直径がｌ.４ｍｍのメネジを利用してキーパースクリューにてキーパを固定する構造の場合は、直径がｌ.４ｍｍのネジ部のトルク強度が約２０Ｎ・ｃｍであるため、推奨締結トルクを１０Ｎ・ｃｍという小さな締め付けトルクにせざるを得ず、破折と同時に緩みに対しても厳しい状態にある。
このように従来のキーパの固定構造は、強度的にも緩み発生の点で必ずしも十分とは言い得なかった。
【００１１】
そして、前記特許文献５以外の前記特許文献の構造では、フィクスチャーとアバットメント及び／又はリングとキーパとがそれぞれ分離される構造であるが、キーパーを固定するキーパーと一体を成したネジ又はキーパースクリューを外すと他の部品も同時に外れる構造であるため、口腔内という制限された空間内では操作性が悪くなる場合がある。特にキーパは損傷し易い部品であるために交換性が重要であり、キーパのみが外れる構造であることが重要である。
【００１２】
しかし、前記特許文献４のようにキーパの交換時にアバットメントも外れる構造であると、アバットメントと歯肉との接触状態を保持できず、一旦形成された付着歯肉が破壊される可能性が高い。若しアバットメントの周囲歯肉に炎症が起きると、インプラント周囲炎等を惹起し易いとされ、骨吸収を起こしてインプラント治療が不成功に陥る危険性が増すとされているため、キーパの交換時にアバットメントは外れない方がよいとされている。
【００１３】
このように、これまでの磁性アタッチメントを応用するインプラント構造は、特にネジ強度及び緩みにおいて充分とは言い難く、その他操作性、歯肉への安全性等に対しても必ずしも充分な配慮がなされているとは言い難かった。
【００１４】
【特許文献１】特開平７−１３６１９０号公報
【特許文献２】特開２０００−２４００４号公報
【特許文献３】特開２００２−７８７２０号公報
【特許文献４】特開平６−２９６６２５号公報
【特許文献５】特開２００３−２５０８１６号公報
【発明の開示】
【発明が解決しようとする課題】
【００１５】
本発明は前述したような従来の歯科補綴治療の一分野である歯科インプラント治療において義歯を磁石による吸着力により強固に装着するための歯科インプラント用磁性アタッチメントにおいて、特にネジ強度及び緩みに対する配慮のみならず、その他操作性、歯肉への安全性等に対しても充分な配慮がなされている歯科インプラント用磁性アタッチメントを提供することを課題とする。
【課題を解決するための手段】
【００１６】
本発明者は前記課題を解決すべく鋭意研究の結果、キーパとしては軟磁性材料であることが必須であり使用環境を考慮すると耐食性を備えた材料が要求されるが、直径が２ｍｍのネジを使用したのでは破折の危険性があり、またアバットメントへの付着歯肉の形成を考慮すると歯肉と接触する材料は純チタン又はチタン合金が望ましく且つこのアバットメントはキーパの交換時に埋入体であるフィクスチャーから外れない構造とすることが必要であるので、歯科インプラント用磁性アタッチメントを、無歯顎の顎骨内に埋入されるフィクスチャーの口腔内側に歯肉貫通部が一体状に設けられている純チタン又はチタン合金製の埋入体と、この埋入体の歯肉貫通部の内面に螺設されているネジ径が３ｍｍ以上の歯肉貫通部メネジ部に螺合されるキーパ固定用オネジ部を有する耐食性軟磁性材料製のキーパとから成る構造にすればよく、このような構造としては埋入体が、フィクスチャーの口腔内側に歯肉貫通部であるアバットメントが完全に一体に設けられている場合と、中心軸にフィクスチャー部メネジ部を有し口腔内側に位置する端部に凹状又は凸状の回転止め機構を有すフィクスチャーと、一端がこのフィクスチャーの回転止め機構に嵌合する凸状又は凹状の回転止め係合機構を有する中空筒状の歯肉貫通部であるアバットメントと、このアバットメントの中空部を貴通し前記フィクスチャーのフィクスチャー部メネジ部にアバットメントスクリュー固定用オネジ部が螺合してアバットメントを固定するためのアバットメントスクリューで構成されている場合のいずれでもよいことを究明して本発明を完成したのである。
【００１７】
即ち本発明は、無歯顎の顎骨内に埋入されるフィクスチャーの口腔内側に歯肉貫通部が一体状に設けられている純チタン又はチタン合金製の埋入体と、該埋入体の該歯肉貫通部の内面に螺設されているネジ径が３ｍｍ以上の歯肉貫通部メネジ部に螺合されるキーパ固定用オネジ部を有する耐食性軟磁性材料製のキーパとから成ることを特徴とする歯科インプラント用磁性アタッチメントである。
【００１８】
そして、このような歯科インプラント用磁性アタッチメントにおいて、純チタン又はチタン合金製の埋入体が、中心軸にフィクスチャー部メネジ部を有し口腔内側に位置する端部に凹状又は凸状の回転止め機構を有すフィクスチャーと、一端が該フィクスチャーの該回転止め機構に嵌合する凸状又は凹状の回転止め係合機構を有する中空筒状の歯肉貫通部であるアバットメントと、該アバットメントの中空部を貴通し前記フィクスチャーのフィクスチャー部メネジ部にアバットメントスクリュー固定用オネジ部が螺合して該アバットメントを固定するためのアバットメントスクリューで構成されていてもよく、また、キーパの口腔内側面が平面又は球面である態様や、キーパの口腔内側面又は口腔内側の側面にドライバー又はレンチとの係合部が設けられている態様や、キーパの口腔内側の側面の全部又は一部に口腔内側方向に小さくなるテーパが設けられている態様が好ましいことも究明したのである。
【発明の効果】
【００１９】
このような本発明に係る歯科インプラント用磁性アタッチメントは、軟磁性材料であるキーパは、無歯顎の顎骨内に埋入されるフィクスチャーの口腔内側に歯肉貫通部が一体状に設けられている純チタン又はチタン合金製の埋入体の歯肉貫通部の内面に螺設されているネジ径が３ｍｍ以上の歯肉貫通部メネジ部に螺合されることになるため、キーパの強度が上がり耐破折性が向上し、ネジの緩みを起こし難くなるばかりでなく、キーパを埋入体に固定するネジ部がキーパと一体であるため、キーパの交換に際して外す部品がキーパのみとなって操作性が向上すると共に、キーパ交換時において歯肉貫通部は埋入体と一体を成しているので周囲の歯肉との剥離がなく、付着歯肉が保たれてインプラント治療の成績低下要因にならないのである。
【００２０】
更に、本発明に係る歯科インプラント用磁性アタッチメントは、構成部品がフィクスチャーの口腔内側に歯肉貫通部が一体に設けられている埋入体と耐食性軟磁性材料製のキーパとの２物品か、又はフィクスチャーとアバットメントである歯肉貫通部とアバットメントスクリューとキーパとの４物品で構成されるため、部品点数の増加なくして種々の特性が向上され、同時に価格低減効果も期待できるのである。
従って、ネジ関連のトラブルが減少し、組立及びキーパ交換時の操作性が向上し、歯肉への損傷防止が図られて安全性が維持されるのである。
【発明を実施するための最良の形態】
【００２１】
以下、図面により本発明の係る歯科インプラント用磁性アタッチメントについて詳細に説明する。
図１は本発明の係る歯科インプラント用磁性アタッチメントの１実施例の縦断面説明図、図２は図１の平面図、図３は本発明の係る歯科インプラント用磁性アタッチメントの他の実施例の縦断面説明図、図４は本発明の係る歯科インプラント用磁性アタッチメントの更に他の実施例の縦断面説明図、図５は本発明の係る歯科インプラント用磁性アタッチメントの更に他の実施例の縦断面説明図である。
【００２２】
図面中、Ｘは無歯顎の顎骨内に埋入されるフィクスチャー１の口腔内側に歯肉貫通部２が一体状に設けられている埋入体であり、図１及び図３に示すようにフィクスチャー１と歯肉貫通部２とが完全に一体を成していても、また図４及び図５に示すように中心軸にフィクスチャー部メネジ部1aを有し口腔内側に位置する端部に凹状又は凸状の回転止め機構1bを有すフィクスチャー１と、一端がこのフィクスチャー１の回転止め機構1bに嵌合する凸状又は凹状の回転止め係合機構2bを有する中空筒状の歯肉貫通部２であるアバットメントと、このアバットメント２の中空部を貴通し前記フィクスチャー１のフィクスチャー部メネジ部1aにアバットメントスクリュー固定用オネジ部3aが螺合してアバットメント２を固定するためのアバットメントスクリュー３で構成されていてもよい。
【００２３】
この埋入体Ｘのフィクスチャー１としては、生体不活性と強度とを備え且つ骨と良好に結合する純チタン又はチタン合金製であり、その外周には口腔内側端部から円筒カラー部1cと切欠き部1dと先細りとなる第一オネジ部1eとこの第一オネジ部1eより先細りになり且つ第一オネジ部1eと同ピッチの先細りとなる第二オネジ部1fとが順次設けられていて、この第二オネジ部1fの下端から口腔内側に向けてセルフタップ機能を有する切れ刃部1gが設けられているのが一般的である。そして、埋入体Ｘがフィクスチャー１とこのフィクスチャー１の口腔内側端面に連結固定される別体の中空筒状の歯肉貫通部２であるアバットメントとから成る場合には、歯肉貫通部２であるアバットメントとの相互の回転を防止するための例えば図示したような角筒状の凸部又は凹部から成る回転止め機構1b（図４及び図５に示した実施例では角筒状の凸部）が、また軸方向にこの回転止め機構1bを貫通して歯肉貫通部２であるアバットメントを連結固定するアバットメントスクリュー３が螺着されるフィクスチャー部メネジ部1aが設けられている。
【００２４】
このようにその外周の口腔内側端部に先ず円筒カラー部1cが設けられていれば、この位置が埋入深さの停止位置となって過埋入を防止する効果が得られ、この円筒カラー部1cに続いて切欠き部1dが設けられていれば、フィクスチャー１を欠如歯部の顎骨内に形成された埋入孔内に埋入していった時にこの切欠き部1dの面が顎骨部分に当接して初期固定の増大化としての役目が得られる。このような効果を奏するためには、切欠き部1dの直径が第一オネジ部1eの谷径よりより大きいことが好ましい。
【００２５】
切欠き部1dに続いて螺入させることによりフィクスチャー１の無歯顎の顎骨内に形成した埋入孔内に埋入される部分に形成されているオネジ部が顎骨に螺合するため常に安定的に固定が得られる利点があるのでオネジ部が設けられていることが好ましいのであるが、このオネジ部は先細りとなる第一オネジ部1eとこの第一オネジ部1eより更に先細りになり且つ第一オネジ部1eと同ピッチの先細りとなる第二オネジ部1fとで構成されている。これは、フィクスチャー１の外周に設けられているオネジ部が先細りとなっていると、埋入初期における埋入性が高くなり顎骨に形成されるメネジの崩壊が起こり難くなる。このようなフィクスチャー１には、無歯顎の顎骨内に形成した埋入孔内に埋入される部分には、骨接触面積を大きくするためにその表面がサンドブラスト処理や酸処理で粗面処理されていることが好ましい。
【００２６】
また埋入体Ｘの歯肉貫通部２は、生体不活性と強度とを備え且つ骨と良好に結合する純チタン又はチタン合金製であり、その内面にネジ径が３ｍｍ以上の歯肉貫通部メネジ部2aが螺設されている。この歯肉貫通部２は、フィクスチャー１とは別体のアバットメントで構成されていてもよく、この場合には一端がこのフィクスチャー１の回転止め機構1bに嵌合する凸状又は凹状の回転止め係合機構2bを有する中空筒状で後述するアバットメントスクリュー３の頭部でフィクスチャー１の口腔内側面との間に挾持される挾持部2cがフィクスチャー１側に設けられている。
【００２７】
３は歯肉貫通部２がフィクスチャー１とは別体のアバットメントで構成されている場合にアバットメント２をフィクスチャー１に固定するためのアバットメントスクリューであり、このアバットメントスクリュー３のアバットメント固定用ネジ部3aがフィクスチャー部メネジ部1aに螺合されてアバットメント２の挾持部2cがアバットメントスクリュー３の頭部とフィクスチャー１の口腔内側面との間に挾持される。
【００２８】
Ｙは埋入体Ｘの歯肉貫通部２の内面に螺設されているネジ径が３ｍｍ以上の歯肉貫通部メネジ部2aに螺合されるキーパ固定用オネジ部Yaを有する耐食性軟磁性材料製のキーパであり、その口腔内側面が図１及び図４に示すような平面であってもよいが、図３及び図５に示すような球面であると、このキーパＹとの磁石構造体の接触面もこの球面に密着するような球面にすることによって咀嚼時に臼歯部や前歯部での被圧変位によって歯科インプラント用磁性アタッチメント部を中心としたオーバーデンチャーの回転運動が発生してもキーパＹと磁石構造体との接触面の一部に隙間ができずに咬合位置が安定した咀嚼機能が得られるので好ましい。また、このキーパＹはキーパ固定用オネジ部Yaを有する一体構造であるから口腔内側面又は口腔内側の側面にドライバー又はレンチとの係合部Ybが設けられていることが好ましく、また口腔内側の側面の全部又は一部に口腔内側方向に小さくなるテーパが設けられていると、義歯を装着するときの浸入角度に余裕が増えて好ましい。
【００２９】
このような本発明に係る歯科インプラント用磁性アタッチメントは、埋入体Ｘの歯肉貫通部２の内面に螺設されている歯肉貫通部メネジ部2aに螺合されるキーパＹのキーパ固定用オネジ部Yaがネジ径が３ｍｍ以上であるので、キーパＹが軟磁性材料であることに起因して比較的強度が弱いにも拘らず破折の危険性が解消されるばかりでなく、締め付けトルクを大きく取れるので緩みの発生頻度が低くなって危険性が回避できるのである。
【００３０】
そして、埋入体Ｘがフィクスチャー１とこのフィクスチャー１と別体の歯肉貫通部２であるアバットメントとから成る場合に、歯肉貫通部２であるアバットメントの内面に螺設されている歯肉貫通部メネジ部2aに螺合されるキーパＹのキーパ固定用オネジ部Yaのネジ径がアバットメントスクリュー３のアバットメント固定用オネジ部3aの直径より大きな３ｍｍ以上であるため、キーパＹの締め付けトルクをアバットメントスクリュー３の締め付けトルク以上にするとキーパＹを取り外す際にアバットメントスクリュー３も同時に緩んでしまうことが考えられるが、埋入体Ｘがフィクスチャー１とこのフィクスチャー１と別体の歯肉貫通部２であるアバットメントとから成る場合にはフィクスチャー１と歯肉貫通部２であるアバットメントとはアバットメントの回転止め機構2bがフィクスチャー１の回転止め機構1bに嵌合することによりフィクスチャー１に対して回転しないように一体を成してアバットメントスクリュー３に固定されているからキーパＹを取り外す際にアバットメントスクリュー３が緩んでしまうような現象は生じないのである。
【００３１】
従って、本発明に係る歯科インプラント用磁性アタッチメントにおいては、キーパＹを取り外す際にキーパＹのみが埋入体Ｘから取り外せるので、キーパの撤去に伴う動揺及び脱落のない固定状態が維持でき、またインプラント治療の安全性から純チタン又はチタン合金製で良好な歯肉との結合状態を形成して生体内保護作用を担う付着歯肉を形成している歯肉貫通部（アバットメント）が歯肉から離脱することがないのである。
【図面の簡単な説明】
【００３２】
【図１】本発明の係る歯科インプラント用磁性アタッチメントの１実施例の縦断面説明図である。
【図２】図１の平面図である。
【図３】本発明の係る歯科インプラント用磁性アタッチメントの他の実施例の縦断面説明図である。
【図４】本発明の係る歯科インプラント用磁性アタッチメントの更に他の実施例の縦断面説明図である。
【図５】本発明の係る歯科インプラント用磁性アタッチメントの更に他の実施例の縦断面説明図である。
【符号の説明】
【００３３】
Ｘ  埋入体
１  フィクスチャー
1a  フィクスチャー部メネジ部
1b  回転止め機構
1c  円筒カラー部
1d  切欠き部
1e  第一オネジ部
1f  第二オネジ部
1g  切れ刃部
２  歯肉貫通部（アバットメント）
2a  歯肉貫通部メネジ部
2b  回転止め係合機構
2c  挾持部
３  アバットメントスクリュー
3a  アバットメントスクリュー固定用オネジ部
Ｙ  キーパ
Ya  キーパ固定用オネジ部
Yb  係合部
【図１】
2006271767.tif 000003
【図２】
2006271767.tif 000004
【図３】
2006271767.tif 000005
【図４】
2006271767.tif 000006
【図５】
2006271767.tif 000007